(57)【特許請求の範囲】
【請求項１】
ワイヤレス通信のための方法であって、
複数のキャリアのうちの少なくとも１つのために要求された電力を決定することと、
前記決定に基づいて前記複数キャリアのうちの少なくとも１つのために複数の電力制御命令のうちの少なくとも１つを生成することと、
前記複数キャリアのうちの少なくとも１つのために前記複数の電力制御命令のうちの少なくとも１つを、アップリンク許可またはダウンリンク許可の一部として伝達することと、
を備える方法。
【請求項２】
前記複数の電力制御命令の各々は、それぞれ前記複数のキャリアの各々のためのものである、
請求項１に記載の方法。
【請求項３】
前記複数の電力制御命令のうちの１つは、前記複数のキャリアのためのものである、請求項１に記載の方法。
【請求項４】
前記複数の電力制御命令は、１つのキャリア上で送信のために生成される、
請求項１に記載の方法。
【請求項５】
前記１つのキャリアは、ダウンリンクキャリアである、
請求項４に記載の方法。
【請求項６】
アップリンクキャリアのオーバーロードを示すオーバーロードインジケータを生成することと、前記アップリンクキャリアとペアになるダウンリンクキャリア上で前記オーバーロードインジケータを送信することと、
をさらに備える、請求項１に記載の方法。
【請求項７】
アップリンクキャリアのオーバーロードを示すオーバーロードインジケータを生成することと、キャリアペアリングに関係なくダウンリンクアンカーキャリア上で前記オーバーロードインジケータを送信することと、をさらに備える、
請求項１に記載の方法。
【請求項８】
前記複数のキャリアの各々のキャリア優先順位に基づいて前記複数のキャリアの間の電力配分に優先順位を付けることをさらに備える、
請求項１に記載の方法。
【請求項９】
ダウンリンクアンカーキャリアは、前記複数のキャリアの他のキャリアより高いキャリア優先順位を有する、
請求項８に記載の方法。
【請求項１０】
前記複数のキャリアの各々の前記キャリア優先順位は、前記複数のキャリアの各々上で送信されるデータの前記優先順位に対応する、
請求項８に記載の方法。
【請求項１１】
前記複数のキャリアの各々のチャネル優先順位に基づいて前記複数のキャリアの間の電力配分に優先順位を付けることをさらに備える、
請求項１に記載の方法。
【請求項１２】
前記複数のキャリアの各々の前記チャネル優先順位は、制御データが前記複数のキャリアのうちのそれぞれ１つのチャネルにわたって送信されるかどうかに基づいて決定される、
請求項１１に記載の方法。
【請求項１３】
前記複数のキャリアそれぞれに対応する複数のアクセス端末の電力制限に基づいて前記複数のキャリアのための電力の配分を決定することをさらに備える、
請求項１に記載の方法。
【請求項１４】
アクセス端末からのレポートに基づいて前記複数のキャリアのための電力配分スケジュールを決定することをさらに備える、
請求項１に記載の方法。
【請求項１５】
前記レポートは、前記アクセス端末のための電力ヘッドルームレポートである、
請求項１４に記載の方法。
【請求項１６】
前記複数の電力制御命令を生成するときに前記複数のキャリアの各々のために物理アップリンク共有チャネルの測定値および送信電力の複数のパラメータのうちの少なくとも１つを決定することをさらに備える、
請求項１に記載の方法。
【請求項１７】
前記複数の電力制御命令を生成するときに前記複数のキャリアの各々のための物理アップリンク制御チャネルの測定値および送信電力の複数のパラメータの少なくとも１つを決定することをさらに備える、
請求項１に記載の方法。
【請求項１８】
複数のキャリアのうちの少なくとも１つのために要求された電力を決定するための手段と、
前記決定に基づいて前記複数キャリアのうちの少なくとも１つのために複数の電力制御命令のうちの少なくとも１つを生成するための手段と、
前記複数キャリアのうちの少なくとも１つのために前記複数の電力制御命令のうちの少なくとも１つを、アップリンク許可またはダウンリンク許可の一部として伝達するための手段と、
を備える装置。
【請求項１９】
前記複数の電力制御命令の各々は、それぞれ前記複数のキャリアの各々のためのものである、
請求項１８に記載の装置。
【請求項２０】
前記複数の電力制御命令のうちの１つは、前記複数のキャリアのためのものである、請求項１８に記載の装置。
【請求項２１】
前記複数の電力制御命令は、１つのキャリア上で送信のために生成される、
請求項１８に記載の装置。
【請求項２２】
前記１つのキャリアは、ダウンリンクキャリアである、
請求項２１に記載の装置。
【請求項２３】
アップリンクキャリアのオーバーロードを示すオーバーロードインジケータを生成するための手段と、前記アップリンクキャリアとペアになるダウンリンクキャリア上で前記オーバーロードインジケータを送信するための手段と、
をさらに備える、請求項１８に記載の装置。
【請求項２４】
アップリンクキャリアのオーバーロードを示すオーバーロードインジケータを生成するための手段と、キャリアペアリングに関係なくダウンリンクアンカーキャリア上で前記オーバーロードインジケータを送信するための手段と、
をさらに備える、請求項１８に記載の装置。
【請求項２５】
前記複数のキャリアの各々のキャリア優先順位に基づいて前記複数のキャリアの間の電力配分に優先順位を付けるための手段をさらに備える、
請求項１８に記載の装置。
【請求項２６】
ダウンリンクアンカーキャリアは、前記複数のキャリアの他のキャリアより高いキャリア優先順位を有する、
請求項２５に記載の装置。
【請求項２７】
前記複数のキャリアの各々の前記キャリア優先順位は、前記複数のキャリアの各々上で送信されるデータの前記優先順位に対応する、
請求項２６に記載の装置。
【請求項２８】
前記複数のキャリアの各々のチャネル優先順位に基づいて前記複数のキャリアの間の電力配分に優先順位を付けるための手段をさらに備える、
請求項１８に記載の装置。
【請求項２９】
前記複数のキャリアの各々の前記チャネル優先順位は、制御データが前記複数のキャリアのうちのそれぞれ１つのチャネルにわたって送信されるかどうかに基づいて決定される、
請求項２８に記載の装置。
【請求項３０】
前記複数のキャリアそれぞれに対応する複数のアクセス端末の電力制限に基づいて前記複数のキャリアのための電力の配分を決定するための手段をさらに備える、
請求項１８に記載の方法。
【請求項３１】
アクセス端末からのレポートに基づいて前記複数のキャリアのための電力配分スケジュールを決定するための手段をさらに備える、
請求項１８に記載の装置。
【請求項３２】
前記レポートは、前記アクセス端末のための電力ヘッドルームレポートである、
請求項３１に記載の装置。
【請求項３３】
前記複数の電力制御命令を生成するときに前記複数のキャリアの各々のために物理アップリンク共有チャネルの測定値および送信電力の複数のパラメータのうちの少なくとも１つを決定するための手段をさらに備える、
請求項１８に記載の装置。
【請求項３４】
前記複数の電力制御命令を生成するときに前記複数のキャリアの各々のための物理アップリンク制御チャネルの測定値および送信電力の複数のパラメータの少なくとも１つを決定するための手段をさらに備える、
請求項１８に記載の装置。
【請求項３５】
コンピュータ可読媒体を備えるコンピュータプログラム製品であって、
前記コンピュータ可読媒体は、
複数のキャリアのうちの少なくとも１つのために要求された電力を決定するためのコードと、
前記決定に基づいて前記複数キャリアのうちの少なくとも１つのために複数の電力制御命令のうちの少なくとも１つを生成するためのコードと、
前記複数キャリアのうちの少なくとも１つのために前記複数の電力制御命令のうちの少なくとも１つを、アップリンク許可またはダウンリンク許可の一部として伝達するためのコードと、を備えるコンピュータプログラム製品。
【請求項３６】
前記複数の電力制御命令を生成するときに前記複数のキャリアの各々のために物理アップリンク制御チャネルの測定値および送信電力の複数のパラメータのうちの少なくとも１つを決定するためのコードをさらに備える、
請求項３５に記載のコンピュータプログラム製品。
【請求項３７】
複数のキャリアのうちの少なくとも１つのために要求された電力を決定し、
前記決定に基づいて前記複数キャリアのうちの少なくとも１つのために複数の電力制御命令のうちの少なくとも１つを生成し、 前記複数キャリアのうちの少なくとも１つのために前記複数の電力制御命令のうちの少なくとも１つを、アップリンク許可またはダウンリンク許可の一部として伝達する、
ように構成されたコントローラを備える、
ワイヤレス通信装置。
【請求項３８】
複数のキャリアのうちの少なくとも１つのための電力制御命令を復号するように、なお、前記電力制御命令は、アップリンク許可またはダウンリンク許可上で受信される、
前記電力制御命令に基づいて前記複数のキャリアのうちの前記少なくとも１つの間の電力を配分するように、
構成されたコントローラを備える、
ワイヤレス通信装置。
【請求項３９】
前記複数の電力制御命令のうちの１つは、それぞれ前記複数のキャリアのうちの１つためのものである、
請求項３８に記載の装置。
【請求項４０】
前記複数の電力制御命令のうちの１つは、前記複数のキャリアのためのものである、請求項３８に記載の装置。
【請求項４１】
前記複数の電力制御命令は、１つのキャリア上で送信のために生成される、
請求項３８に記載の装置。
【請求項４２】
前記１つのキャリアは、ダウンリンクキャリアである、
請求項４１に記載の方法。
【請求項４３】
前記コントローラは、アップリンクキャリアとペアになるダウンリンクキャリア上で、前記アップリンクキャリアのオーバーロードを示す、オーバーロードインジケータを受信し、前記オーバーロードインジケータを復号し、前記復号されたオーバーロードインジケータに従って送信電力を低減するようにさらに構成される、
請求項３８に記載の装置。
【請求項４４】
前記コントローラは、キャリアペアリングに関係なくダウンリンクアンカーキャリア上で、アップリンクキャリアのオーバーロードを示す、オーバーロードインジケータを受信し、前記オーバーロードインジケータを復号し、前記復号されたオーバーロードインジケータに従って送信電力を低減するようにさらに構成される、
請求項３８に記載の装置。
【請求項４５】
前記コントローラは、前記複数のキャリアの各々のキャリア優先順位に基づいて前記複数のキャリアの間の電力配分に優先順位を付けるようにさらに構成される、
請求項３８に記載の装置。
【請求項４６】
ダウンリンクアンカーキャリアは、前記複数のキャリアの他のキャリアより高いキャリア優先順位を有する、
請求項４５に記載の装置。
【請求項４７】
前記複数のキャリアの各々の前記キャリア優先順位は、前記複数のキャリアの各々上で送信されるデータの前記優先順位に対応する、
請求項４５に記載の装置。
【請求項４８】
前記コントローラは、前記複数のキャリアの各々のチャネル優先順位に基づいて前記複数のキャリアの間の電力配分に優先順位を付けるようにさらに構成される、
請求項３８に記載の装置。
【請求項４９】
前記複数のキャリアの各々の前記チャネル優先順位は、制御データが前記複数のキャリアのうちのそれぞれ１つのチャネルにわたって送信されるかどうかに基づいて決定される、
請求項４８に記載の装置。
【請求項５０】
前記コントローラは、自発的に前記複数のキャリアの間の電力配分に優先順位を付けるようにさらに構成される、
請求項４５に記載の装置。
【請求項５１】
前記コントローラは、基地局から受信した情報に基づいて前記複数のキャリアの間の電力配分に優先順位をつけるようにさらに構成される、
請求項４５に記載の装置。
【請求項５２】
ワイヤレス通信のための方法であって、
複数のキャリアのうちの少なくとも１つのための電力制御命令を復号することと、なお、前記電力制御命令は、アップリンク許可またはダウンリンク許可上で受信される、
前記電力制御命令に基づいて前記複数のキャリアのうちの前記少なくとも１つの間の電力を配分することと、
を備える方法。
【請求項５３】
前記複数の電力制御命令のうちの１つは、それぞれ前記複数のキャリアのうちの１つのためのものである、
請求項５２に記載の方法。
【請求項５４】
前記複数の電力制御命令のうちの１つは、前記複数のキャリアのためのものである、請求項５２に記載の方法。
【請求項５５】
前記複数の電力制御命令は、１つのキャリア上で送信のために生成される、
請求項５２に記載の方法。
【請求項５６】
前記１つのキャリアは、ダウンリンクキャリアである、
請求項５５に記載の方法。
【請求項５７】
アップリンクキャリアとペアになるダウンリンクキャリア上で前記アップリンクキャリアのオーバーロードを示す、オーバーロードインジケータを受信することと、前記オーバーロードインジケータを復号することと、前記復号されたオーバーロードインジケータに従って送信電力を低減することとをさらに備える、
請求項５２に記載の方法。
【請求項５８】
キャリアペアリングに関係なくダウンリンクアンカーキャリア上でアップリンクキャリアのオーバーロードを示す、オーバーロードインジケータを受信することと、前記オーバーロードインジケータを復号することと、前記復号されたオーバーロードインジケータに従って送信電力を低減することとをさらに備える、
請求項５２に記載の方法。
【請求項５９】
前記複数のキャリアの各々のキャリア優先順位に基づいて前記複数のキャリアの間の電力配分に優先順位を付けることをさらに備える、
請求項５２に記載の方法。
【請求項６０】
ダウンリンクアンカーキャリアは、前記複数のキャリアの他のキャリアより高いキャリア優先順位を有する、
請求項５９に記載の方法。
【請求項６１】
前記複数のキャリアの各々の前記キャリア優先順位は、前記複数のキャリアの各々上で送信されるデータの前記優先順位に対応する、
請求項５９に記載の方法。
【請求項６２】
前記複数のキャリアの各々のチャネル優先順位に基づいて前記複数のキャリアの間の電力配分に優先順位を付けることをさらに備える、
請求項５２に記載の方法。
【請求項６３】
自発的に前記複数のキャリアの間の電力配分に優先順位を付けることをさらに備える、請求項５９に記載の方法。
【請求項６４】
基地局から受信した情報に基づいて前記複数のキャリアの間の電力配分に優先順位を付けることをさらに備える、
請求項５９に記載の方法。
【請求項６５】
複数のキャリアのうちの少なくとも１つのための電力制御命令を復号するための手段と、なお、前記電力制御命令は、アップリンク許可またはダウンリンク許可上で受信される、
前記電力制御命令に基づいて前記複数のキャリアのうちの前記少なくとも１つの間の電力を配分するための手段と、
を備える装置。
【請求項６６】
前記複数の電力制御命令のうちの１つは、それぞれ前記複数のキャリアのうちの１つのためのものである、
請求項６５に記載の装置。
【請求項６７】
前記複数の電力制御命令のうちの１つは、前記複数のキャリアのためのものである、請求項６５に記載の装置。
【請求項６８】
前記複数の電力制御命令は、１つのキャリア上で送信のために生成される、
請求項６５に記載の装置。
【請求項６９】
前記１つのキャリアは、ダウンリンクキャリアである、
請求項６８に記載の装置。
【請求項７０】
アップリンクキャリアとペアになるダウンリンクキャリア上で前記アップリンクキャリアのオーバーロードを示す、オーバーロードインジケータを受信するための手段と、前記オーバーロードインジケータを復号するための手段と、前記復号されたオーバーロードインジケータに従って送信電力を低減するための手段と、
をさらに備える、請求項６５に記載の装置。
【請求項７１】
キャリアペアリングに関係なくダウンリンクアンカーキャリア上でアップリンクキャリアのオーバーロードを示す、オーバーロードインジケータを受信するための手段と、前記オーバーロードインジケータを復号するための手段と、前記復号されたオーバーロードインジケータに従って送信電力を低減するための手段と、
をさらに備える、請求項６５に記載の装置。
【請求項７２】
前記複数のキャリアの各々のキャリア優先順位に基づいて前記複数のキャリアの間の電力配分に優先順位を付けるための手段をさらに備える、
請求項６５に記載の装置。
【請求項７３】
ダウンリンクアンカーキャリアは、前記複数のキャリアの他のキャリアより高いキャリア優先順位を有する、
請求項７２に記載の装置。
【請求項７４】
前記複数のキャリアの各々の前記キャリア優先順位は、前記複数のキャリアの各々上で送信されるデータの前記優先順位に対応する、
請求項７２に記載の装置。
【請求項７５】
前記複数のキャリアの各々のチャネル優先順位に基づいて前記複数のキャリアの間の電力配分に優先順位を付けるための手段をさらに備える、
請求項６５に記載の装置。
【請求項７６】
自発的に前記複数のキャリアの間の電力配分に優先順位を付けるための手段をさらに備える、請求項７５に記載の装置。
【請求項７７】
コンピュータ可読媒体を備えるコンピュータプログラム製品であって、
前記コンピュータ可読媒体は、
複数のキャリアのうちの少なくとも１つのための電力制御命令を復号するためのコードと、なお、前記電力制御命令は、アップリンク許可またはダウンリンク許可上で受信される、
前記電力制御命令に基づいて前記複数のキャリアのうちの前記少なくとも１つの間の電力を配分するためのコードと、
を備えるコンピュータプログラム製品。
【発明の詳細な説明】
【関連出願】
【０００１】
米国特許法第１１９条に基づく優先権の主張  
本特許出願は、本出願の譲受人に譲渡され、参照により本明細書に明確に組み込まれる、２００９年５月４日に出願された「UPLINK POWER CONTROL IN MULTICARRIER OPERATION」と題する仮特許出願第６１／１７５，４０５号の優先権を主張する。
【技術分野】
【０００２】
本開示は、ワイヤレス通信システムに一般に関する。より詳細には、本開示は、方法、およびマルチキャリアワイヤレス通信システムのアップリンク電力制御のための装置に関する。
【背景技術】
【０００３】
ワイヤレス通信システムは、ボイス、ビデオ、パケットデータ、メッセージング、ブロードキャストなど様々な通信サービスを提供するために広く展開されている。これらのシステムは、利用可能なシステムリソース（例えば、帯域幅及び送信電力）を共有することによって、複数ユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、直交周波数分割多元接続（ＯＦＤＭＡ）システムおよびシングルキャリアＦＤＭＡ（ＳＣ−ＦＤＭＡ）システムを含む。
【０００４】
複数のアップリンクおよびダウンリンクキャリアが存在する通信システムにおいて、あるルールは、複数のアップリンクキャリアのための電力制御を指定して定義されるべきである。ＬＴＥリリース８において、１つのダウンリンクとペアであるただ１つのアップリンクがあり、アップリンク電力制御が１つのアップリンクキャリア上のチャネルの送信電力を制御するために構成されている一方で、そのような解法は、複数のアップリンクおよびダウンリンクキャリア構成を有するマルチキャリアシステム（例えば、ＬＴＥアドバンスド）に適用できない。
【０００５】
従って、マルチキャリアシステムにおける複数のアップリンクのためのアップリンク制御を提供する方法および装置のための技術の必要性が存在する。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、本開示の１つまたは複数の態様のいくつかの概念を簡略化された形で提示することである。
【０００７】
開示の態様に従って、ワイヤレス通信装置は、複数のキャリアのうちの少なくとも１つのために要求された電力を決定し、その決定に基づいて複数キャリアのうちの少なくとも１つのための複数の電力制御命令のうちの少なくとも１つを生成するように構成されたコントローラを含み得る。
【０００８】
開示の別の態様に従って、ワイヤレス通信のための方法は、複数のキャリアのうちの少なくとも１つのために要求された電力を決定することと、その決定に基づいて複数キャリアのうちの少なくとも１つのための複数の電力制御命令のうちの少なくとも１つを生成することとを含み得る。
【０００９】
開示のさらなる態様に従って、装置は、複数のキャリアのうちの少なくとも１つのために要求された電力を決定するための手段と、その決定に基づいて複数キャリアのうちの少なくとも１つのための複数の電力制御命令のうちの少なくとも１つの生成するための手段とを含み得る。
【００１０】
さらに、開示のさらなる態様に従って、コンピュータプログラム製品は、複数のキャリアのうちの少なくとも１つのために要求された電力を決定するためのコードと、その決定に基づいて複数キャリアのうちの少なくとも１つのための複数の電力制御命令のうちの少なくとも１つを生成するためのコードとを含むコンピュータ可読媒体を含み得る。
【００１１】
さらに、開示のさらなる態様に従って、ワイヤレス通信装置は、複数のキャリアうちの少なくとも１つのための電力制御命令をデコードし、その電力制御命令に基づいて複数のキャリアのうちの少なくとも１つの間に電力を配分するように構成されたコントローラを含み得る。
【００１２】
さらに、開示のさらなる態様に従って、ワイヤレス通信のための方法は、複数のキャリアうちの少なくとも１つのための電力制御命令をデコードすることと、その電力制御命令に基づいて複数のキャリアのうちの少なくとも１つの間に電力を配分することとを含み得る。
【００１３】
さらに、開示のさらなる態様に従って、装置は、複数のキャリアうちの少なくとも１つのための電力制御命令をデコードするための手段と、その電力制御命令に基づいて複数のキャリアのうちの少なくとも１つの間に電力を配分するための手段とを含み得る。
【００１４】
さらに、開示のさらなる態様に従って、コンピュータプログラム製品は、複数のキャリアうちの少なくとも１つのための電力制御命令をデコードするためのコードと、その電力制御命令に基づいて複数のキャリアのうちの少なくとも１つの間に電力を配分するためのコードを含むコンピュータ可読媒体を含み得る。
【００１５】
上記および関連する目的を達成するために、１つまたは複数の態様は、以下で十分に説明し、特に特許請求の範囲で指摘する特徴を備える。以下の記載および添付図面は、１つまたは複数の態様のある例示的な特徴を詳細に記載する。しかしながら、これらの特徴は、さまざまな態様の原理が適用されるさまざまな方式のうちのごく一部しか示しておらず、本説明は、そのような態様およびそれらの均等物の全てを含むことが意図されている。
【図面の簡単な説明】
【００１６】
開示された態様は、例示し、開示された態様を制限しないために提供され、添付図面と共に以下に説明される。ここで、類似の名称は、類似のエレメントを示す。
【図１】図１は、ワイヤレス通信システムの態様を例示する。
【図２】図２は、基地局とアクセス端末との間のアップリンクおよびダウンリンクを含む通信システムを例示する。
【図３】図３は、通信システムのためのプロトコルスタックのいくつかの態様を例示する。
【図４】図４は、リソースブロックおよびリソースエレメントを示す無線フレーム構造およびリソースグリッドを例示する。
【図５】図５は、ワイヤレス通信環境でアップリンク電力制御を容易にするマルチキャリアシステムの例を例示する。
【図６】図６は、アンカーキャリアとペアになるアップリンク／ダウンリンクの例を例示する。
【図７】図７は、マルチキャリア通信システムでのアップリンク電力制御を容易にするアクセスターミナルの例を例示する。
【図８】図８は、マルチキャリア通信システムにおけるアップリンク電力制御を容易にする典型的な基地局のブロック図である。
【図９】図９は、アクセス端末の観点からマルチキャリア通信システムにおけるアップリンク電力制御のプロセスの例を例示するフローチャートである。
【図１０】図１０は、基地局の観点からマルチキャリア通信システムにおけるアップリンク電力制御のプロセスの例を例示するフローチャートである。
【図１１】図１１は、マルチキャリア通信システムにおけるアップリンク電力制御を容易にするシステムの例示である。
【図１２】図１２は、マルチキャリア通信システムにおけるアップリンク電力制御を容易にする典型的なシステムの例示である。
【発明を実施するための形態】
【００１７】
さまざまな態様は、ここで、図面に関連して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１８】
本願で使用されるように、用語「コンポーネント」、「モジュール」、「システム」等は、限定される訳ではないが、ハードウェア、ファームウェア、ハードウェアとソフトウェアとの組み合わせ、ソフトウェア、あるいは実行中のソフトウェアのようなコンピュータ関連エンティティを含むことが意図されている。例えば、コンポーネントは、限定される訳ではないが、プロセッサ上で実行中のプロセス、プロセッサ、オブジェクト、実行形式、実行スレッド、プログラム、および／またはコンピュータでありうる。例示によれば、コンピューティングデバイス上で実行中のアプリケーションと、コンピューティングデバイスとの両方がコンポーネントとなりうる。１または複数のコンポーネントは、プロセスおよび／または実行スレッド内に常駐（reside）し、コンポーネントは、１つのコンピュータに局在化されるか、および／または、２つ以上のコンピュータに分散されうる。さらに、これらのコンポーネントは、さまざまなデータ構造を格納したさまざまなコンピュータ可読媒体から実行可能である。これらコンポーネントは、例えば、信号によってローカル・システムや分散システム内の他のコンポーネントとインタラクトする１つのコンポーネントからのデータ、および／または、他のシステムを備えた例えばインターネットのようなネットワークを介して他のコンポーネントとインタラクトする１つのコンポーネントからのデータのような１または複数のデータのパケットを有する信号にしたがって、ローカル処理および／またはリモート処理によって通信することができる。
【００１９】
更に、さまざまな態様は、ワイヤード端末またはワイヤレス端末であることができる、端末に関連して本明細書に説明される。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザ・デバイス、またはユーザ機器（ＵＥ）とも称されうる。無線端末は、セルラ電話、衛星電話、コードレス電話、セッション初期化プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、あるいは、ワイヤレスモデムに接続されたその他の処理デバイスでありうる。さらに、本明細書では、さまざまな態様が、基地局に関して記載される。基地局は、無線端末との通信のために利用され、アクセスポイント、ノードＢ、イボルブドノードＢ（ｅＮＢ）、あるいはその他いくつかの用語で称されうる。
【００２０】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する、ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２１】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまなワイヤレス通信システムのために使用される。「システム」、「ネットワーク」という用語はしばしば置換可能に使用される。ＣＤＭＡネットワークは、例えば、ユニバーサルテレストリアルラジオアクセス（ＵＴＲＡ）、ｃｄｍａ２０００等のような無線技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２２】
さまざまな態様または特徴が、多くのデバイス、コンポーネント、モジュール等を含むシステムの観点から示されるだろう。さまざまなシステムが、追加のデバイス、コンポーネント、モジュール等を含むことができるか、および／または、図面に関連して説明されたデバイス、コンポーネント、モジュール等の必ずしも全てを含んでいる訳ではないことが理解され、認識されるべきである。これらアプローチの組み合わせもまた使用されうる。
【００２３】
さらに、主題とする記載では、「典型的」という用語は、例、事例、または例示として役立つことを意味するために使用される。本明細書で「典型的」と記載された任意の態様または設計は、必ずしも、他の態様または設計に対して好適であるとも、有利であるとも解釈される必要はない。むしろ、典型的という用語を用いることは、概念を具体的に表すことが意図されている。
【００２４】
図１は、３ＧＰＰ  ＬＴＥ  Ｅ−ＵＴＲＡシステムでありうる無線通信システム１００を示す。システム１００は、基地局１１０と、３ＧＰＰによって記述されるその他のネットワークエンティティとを含みうる。基地局は、アクセス端末と通信する固定局でありうる。おのおのの基地局１１０は、特定の地理的エリアのために通信カバレージを提供する。ネットワーク容量を高めるために、基地局のカバレージエリア全体が、多数（例えば３つ）の、より小さなエリアへ分割されうる。小さなエリアおのおのは、それぞれの基地局サブシステムによってサービス提供されうる。３ＧＰＰでは、用語「セル」は、このカバレージエリアにサービス提供している基地局および／または基地局サブシステムのうちの最小のカバレージエリアを称しうる。
【００２５】
システムコントローラ１３０は、モビリティ管理エンティティ（ＭＭＥ）およびサービス提供ゲートウェイ（Ｓ−ＧＷ）を含み、基地局のセットに接続し、これら基地局のために調整および制御を提供しうる。Ｓ−ＧＷは、例えば、パケットデータ、ボイスオーバインターネットプロトコル、ビデオ、メッセージング等のようなデータサービスをサポートしうる。ＭＭＥは、ハンドオーバ時において、ソース基地局とターゲット基地局との間のパス切換を担当しうる。システムコントローラ１３０は、コアおよび／またはデータネットワーク（例えば、インターネット）に接続し、コア／データネットワークに接続されたその他のエンティティ（例えば、遠隔サービスおよび端末）と通信しうる。
【００２６】
アクセス端末１２０は、ネットワーク全体にわたって分布し、おのおののアクセス端末は、据置式または移動式でありうる。アクセス端末は、ダウンリンクおよびアップリンクによって基地局と通信しうる。ダウンリンク（すなわち、順方向リンク）は、基地局からアクセス端末への通信リンクを称し、アップリンク（すなわち、逆方向リンク）は、アクセス端末から基地局への通信リンクを称する。図１では、両矢印を持つ実線は、基地局とアクセス端末との間のアクティブな通信を示す。
【００２７】
図２は、基地局２０４とアクセス端末２０８との間のアップリンク２１２およびダウンリンク２１４を含むシステム２００を例示する。基地局２０４およびアクセス端末２０８は、図１に示す基地局１１０およびアクセス端末１２０に相当しうる。アップリンク２１２は、アクセス端末２０８から基地局２０４への送信を称し、ダウンリンク２１４は、基地局２０４からアクセス端末２０８への送信を称する。
【００２８】
図３は、通信システムのためのプロトコルスタックのいくつかの態様を例示する。基地局２０４とアクセス端末２０８との両方は、図３に例示されたプロトコルスタック３００を含みうる。プロトコルスタックは、物理レイヤ（ＰＨＹ）３１６、媒体アクセス制御（ＭＡＣ）３１８、および高次レイヤ３２０を含みうる。
【００２９】
ＭＡＣレイヤ３１８は、１または複数の論理チャネル３２２を介して高次レイヤ３２０からデータを受信しうる。その後、ＭＡＣレイヤ３１８は、論理チャネル３２２とトランスポートチャネル３２４の間をマッピング、トランスポートチャネル３２４のためのトランスポートブロックへの／からの論理チャネル３２２に対するさまざまなＰＤＵのマルチプレキシングおよびデマルチプレキシング、誤り訂正、トラヒック量測定レポート、アクセス端末の論理チャネル３２２間の優先順位の取り扱い、ダイナミックスケジューリングを介してアクセス端末間の優先順位の取り扱い、トランスポートフォーマット選択、パディングなど、のような各種機能を実行しうる。
【００３０】
物理レイヤ３１６は、複数の物理制御チャネル３２６を提供するように構成されうる。アクセス端末２０４は、制御チャネルのこのセットをモニタするように構成されうる。物理レイヤ３１６はさらに、物理チャネル３２６を介したデータ伝送サービスを提供しうる。ダウンリンク信号送信のためのある物理チャネルは、物理ダウンリンク制御チャネル（ＰＤＣＣＨ）、物理ハイブリッドＡＲＱインジケータチャネル（ＰＨＩＣＨ）、および物理ダウンリンク共有チャネル（ＰＤＳＣＨ）でありうる。アップリンク信号送信のためのある物理チャネルは、物理アップリンク制御チャネル（ＰＵＣＣＨ）、物理アップリンク共有チャネル（ＰＵＳＣＨ）、および物理ランダムアクセスチャネル（ＰＲＡＣＨ）でありうる。
【００３１】
システム１００は、ダウンリンクの場合、直交ＯＦＤＭＡを、アップリンクの場合、ＳＣ−ＦＤＭＡを使用しうる。ＯＦＤＭの基礎となる根本概念は、利用可能な周波数スペクトルを、いくつかのサブキャリアへ分割することである。高いスペクトル効率を得るために、サブキャリアの周波数応答は、オーバラップおよび直交している。システム１００では、ＯＦＤＭＡダウンリンク送信およびアップリンク送信は、１０ミリ秒の持続時間を持つラジオ・フレームへ体系化されうる。フレーム構成は、周波数分割二重（ＦＤＤ）（外部および帰還信号を分離する周波数分割多重のアプリケーション）と時分割多重（ＴＤＤ）（外部およびリターン信号を分離する時分割多重のアプリケーション）との両方に適用することができる。図４に示されるように、おのおののラジオ・フレームは１０ミリ秒の長さであり、０．５ミリ秒からなる０乃至１９と符番された２０のスロットからなる。サブフレームは、連続した２つのスロットとして定義される。ここで、サブフレームｉは、スロット２ｉとスロット２ｉ＋１とからなる。サブフレームは、送信期間（ＴＴＩ）と称されうる。ＦＤＤのために、１０個のサブフレームは、ダウンリンク送信のために利用可能であり、１０個のサブフレームは、各々１０ミリセカンド間隔のアップリンク送信のために利用可能である。アップリンク送信とダウンリンク送信とは、周波数領域で分離される。ＴＤＤの場合、サブフレームは、ダウンリンク送信またはアップリンク送信の何れかのために割り当てられる。サブフレーム０およびサブフレーム５は、常に、ダウンリンク送信のために割り当てられうる。
【００３２】
おのおののスロット内の信号は、ダウンリンクの場合はＯＦＤＭシンボルでありアップリンクの場合はＳＣ−ＦＤＭＡシンボルであるＮＳＹＭＢ個のシンボル、およびＮＳＣＲＢ個のサブキャリアのリソースグリッドによって記述される。基地局１１０からのマルチ・アンテナ送信の場合には、アンテナポート毎に規定された１つのリソースグリッドが存在しうる。アンテナポートは、セル内にユニークなダウンリンク基準信号（ＤＬＲＳ）によって規定されうる。アンテナポートｐのためにリソースグリッドのエレメント各々は、リソースエレメントと称され、インデックスペア（ｋ、ｌ）によってユニークに識別されうる、ここで、ｋおよびｌは、周波数領域および時間領域それぞれにおけるインデックスである。１つ、２つ、４つ、またはそれ以上のアンテナポートがサポートされうる。物理リソースブロックは、時間領域においてＮＳＹＭＢ個の連続したシンボルとして定義され、周波数領域においてＮＳＣＲＢ（例えば、１２）個の連続したサブキャリアとして定義されうる。したがって、リソースブロックは、ＮＳＹＭＢ×ＮＳＣＲＢ個のリソースエレメントからなる。
【００３３】
システム１００を介して送信されたデータは、非リアルタイム（ＮＲＴ）データまたはリアルタイム（ＲＴ）データの何れかとして分類されうる。ＮＲＴデータの例は、アクセス端末によるウェブブラウジング中またはアクセス端末へのテキストメッセージングの間に送信されるデータを含む一方、ＲＴデータの例は、アクセス端末間のボイス通信である
データ・パケット（ＮＲＴとＲＴとの両方）は、ＰＤＳＣＨで、基地局からアクセス端末へ送信される。ＰＤＳＣＨでは、さまざまな変調スキームおよび符号化スキーム（ＭＣＳ）がサポートされる。変調スキームは、直交フェーズシフトキーイング（ＱＰＳＫ）、および、例えば１６−ＱＡＭおよび６４−ＱＡＭのような直交振幅変調（ＱＡＭ）を含む。誤り訂正のために使用されるさまざまな符号化レートが使用されうる。変調スキームと符号化レートとを組み合わせることによって、例えば３０のような多くの可能なＭＣＳが得られる。
【００３４】
ＬＴＥベースのシステム（例えば、３ＧＰＰリリース８）において、アップリンク電力制御は、開ループ電力制御および閉ループ電力制御の組み合わせになることができる。開ループ電力制御と、アクセス端末は、電力制御を容易にするためにダウンリンクパスロスを推定する。閉ループにより、基地局は、電力制御命令を介してアップリンク送信電力を明示的に制御することができる。アップリンクデータがない状態における、送信および電力制御シグナリングは、ＰＵＣＣＨの上で行なわれ、アップリンクデータがある状態における制御シグナリングは、ＰＵＳＣＨの上で行なわれうる。
【００３５】
図５は、ワイヤレス通信環境におけるアップリンク電力制御を容易にするマルチキャリアシステムの例である。図５の示されるように、マルチキャリアシステム５００は、アップリンクキャリアＵＬ Ｃ１ ５０６、ＵＬ Ｃ２ ５０８およびダウンリンクキャリアＤＬ Ｃ１ ５１０、ＤＬ Ｃ２ ５１２、基地局とアクセス端末５０４との間のＤＬ Ｃ３ ５１４を含みうる。基地局５０２およびアクセス端末５０４は、図１の示される基地局１１０およびアクセス端末１２０に対応しうる。システム５００は、アップリンクキャリア５０６、５０８の数がダウンリンクキャリア５１０、５１２、５１４の数に等しくないという意味で、非対称であることが示されている。２つのアップリンクキャリアおよび３つのダウンリンクキャリアのみが示されているが、システム５００は、任意の数のアップリンクおよびダウンリンクのキャリアを含むように構成されうる。システム５００は、さらに等しい数アップリンクおよびダウンリンクキャリアを有する対称なシステムになりうる。
【００３６】
システム５００は、アップリンクキャリアとダウンリンクのキャリアとの間のペアになるキャリアをサポートするようにさらに構成される。ペアリングは、１つまたは複数のダウンリンクキャリアと１つまたは複数のアップリンクキャリアとの間にあることができる。１つの構成において、少なくとも１つのダウンリンクキャリアは、複数のアップリンクキャリアとペアになる、または複数のダウンリンクキャリアは、少なくとも１つのアップリンクキャリアとペアになり、そのようなダウンリンクキャリアおよびアップリンクキャリアのペアリンググループは、少なくとも３つのキャリアを含む。
【００３７】
システム５００マンは、基地局５０２に類似する任意の数の異種の基地局および／またはアクセス端末５０４に類似する任意の数の異種のアクセス端末を含みうる。例示に従って、システム５００は、ＬＴＥ−Ａ基づいたシステムになることができるが、請求された主題は、そのように限定的ではない。
【００３８】
マルチキャリアオペレーションを容易にするために、システム５００、１キャリア基準ごとに電力制御を提供することができる。キャリア電力制御当たり、個別の周波数帯域における動作を可能にする干渉管理目的のための柔軟性を可能にする。
【００３９】
１つの態様において、アクセスターミナル５０４は、ＰＵＳＣＨの上のデータ送信のための送信電力を決定しうる。１つの例に従って、サブフレームｉについて、キャリアインデックスｋによって示された複数のキャリアに対して、ｄＢｍについて、送信電力ＰＰＵＳＣＨ（ｉ，ｋ）は、以下の式１によって決定されることができる。
【数１】
0005345731.tif 000002
【００４０】
この例証に準じて、キャリアインデックスｋによって指定されるように、すべてのコンポーネントは、アップリンクキャリアごとに定義される。式１において、ＰＭＡＸは、（例えば、システム情報ブロック（ＳＩＢ）の）高次レイヤで形成されるように、最大限許容された送信電力である。ＭＰＵＳＣＨ（ｉ、ｋ）は、サブフレームｉに対して有効なリソースブロックの数で表わされたＰＵＳＣＨ資源割り当ての帯域幅である。ＰＯ＿ＰＵＳＣＨ（ｊ、ｋ）は、８ビットセル特有の名目上のコンポーネントおよび４ビットアクセス端末と行く他のコンポーネントの和によって構成されたパラメータであり、ｊ＝０およびｊ＝１の両方のための高次レイヤによって提供される。α（ｊ，ｋ）は、電力制御決定におけるパスロス推定値の効果を考慮する高次レイヤによって提供される３ビットセル特有のパラメータである。ＰＬ（ｋ）はアクセス端末における計算されたダウンリンクパスロス推定値である。１つの例において、パスロス推定値は、高次レイヤによって提供されるような基準信号電力と高次レイヤフィルタ基準信号受信電力（a higher layer filtered reference signal）との間の差に基づく。ΔＴＦ（ｉ，ｋ）は、情報の特有のトランスポートフォーマットおよび／または特有の変調およびコーディングスキームに対する特定の電力オフセットである。ΔＴＦ（ｉ，ｋ）は、１０ｌｏｇ１０（２（ＭＰＲ）（Ｋｓ）−１）によって提供されることができる。ここで、Ｋｓは、デルタＭＣＳ−イネーブルド（deltaMCS-Enabled）によって与えられ、ＭＰＲ＝ＴＢＳ／ＮＲＥであり、ＴＢＳは、トランスポートブロックサイズであり、ＮＲＥは、リソースエレメントの数である。パラメータｆ（ｉ、ｋ）は、基地局によって提供されるような電力制御調整状態であり、δＰＵＳＣＨ、送信電力制御（ＴＰＣ）命令と称されるアクセス端末訂正値、によって決定される。δＰＵＳＣＨは、ＰＤＣＣＨまたはＰＤＳＣＨを介して基地局からアクセス端末に送信されたＴＰＣ情報である。
【００４１】
１つの態様において、アクセス端末５０４は、さらにＰＵＣＣＨ上のデータ送信のための送信電力を決定しうる。１つの例に従って、キャリアインデックスｋによって示されたように、複数のキャリアのためのサブフレームｉのＰＵＣＣＨを介するアップリンクを通じて送信された信号の送信電力ＰＰＵＣＣＨ（ｉ，ｋ）は、以下の式２によって決定されうる：
【数２】
0005345731.tif 000003
【００４２】
この例示に準じて、すべてのコンポーネントは、キャリアインデックスｋによって指定されるように、ユニットキャリアごとに定義される。各ＰＵＣＣＨトランスポートフォーマット（ＴＦ）についてのΔＦ＿ＰＵＣＣＨ（ＴＦ、ｋ）は、ＲＲＣによって提供される。Ｐ０＿ＰＵＣＣＨ，ｋは、高次レイヤによって提供される５ビットセル特有のパラメータおよびＲＲＣによって与えられるアクセス端末特有のコンポーネントの和によって構成されるパラメータである。ｇ（ｉ、ｋ）は、δＰＵＣＣＨによって決定されるファクタであり、さらにＴＰＣコマンドも同様である。δＰＵＣＣＨは、基地局からアクセス端末にＰＤＣＣＨまたはＰＤＳＣＨを介して送信されたＴＰＣ情報である。
【００４３】
電力制御命令（例えば、ＴＰＣ）は、基地局５０２によって生成され、シグナルされることができる。ＰＵＣＣＨのための電力制御命令は、アップリンク許可に含まれる一方、ＰＵＳＣＨのための電力制御命令は、ダウンリンク許可内で伝達されうる。さらに、基地局５０２は、ダウンリンク制御情報（ＤＣＩ）を利用するアクセス端末のグループのための電力制御命令を伝達することができる。ＤＣＩフォーマット３および３Ａは、各キャリアのための２ビットまたは１ビットの電力調整で、ＰＵＣＣＨおよびＰＵＳＣＨのためにそれぞれ使用されうる。マルチキャリアシステム５００において、マルチキャリアアップリンク許可および／またはダウンリンク許可は、構成されたすべてのアクセス端末のためのアクセス端末ＴＰＣ命令を搬送し、任意のダウンリンクキャリア上の基地局５０２によって送信されうる。アクセス端末５０４は、マルチキャリア許可のために１つまたは多くのダウンリンクキャリア（例えば、アンカーキャリア）をモニタしうる。基地局５０２は、どのダウンリンクキャリアを可能な許可のためにモニタするかアクセス端末５０４に通知するために無線リソース制御（ＲＲＣ）シグナリングを使用しうる。
【００４４】
図６は、システム５００のためにダウンリンク／アップリンクキャリアペアリングの例を説明するブロック図である。図６の示されるように、ＵＬ Ｃ１ ５０６は、ＤＬ Ｃ１ ５１０（実線の矢印６０２により示される）とペアになり、ＵＬ Ｃ２ ５０８は、ＤＬ Ｃ２ ５１２およびＤＬ Ｃ３ ５１４（実線の矢印６０４および６０６により示される）とペアになりうる。ＵＬ Ｃ１ ５０６は、ＤＬ Ｃ１ ５１０のためのアップリンク制御情報を受信し、ＵＬＣ２ ５０８は、ＤＬ Ｃ２ ５１２およびＤＬ Ｃ３ ５１４のためのアップリンク制御情報を受信しうる。アップリンク制御情報は、ダウンリンクのハイブリッド自動再送要求（ＨＡＲＱ）フィードバックおよびチャネル品質インジケータ（ＣＱＩ）フィードバックを含みうる。同様に、ＤＬ Ｃ１は、ＵＬ Ｃ１ ５０６のためのダウンリンク制御情報を受信し、ＤＬ Ｃ２ ５１２およびＤＬ Ｃ３ ５１４は、ＵＬ Ｃ２ ５０８のためのダウンリンク制御情報を受信しうる。ダウンリンク制御情報は、アップリンク許可、ダウンリンク許可、さらにアップリンクＨＡＲＱフィードバックを含みうる。
【００４５】
基地局５０２によって決定されるように、キャリアペアリングは、半静的（semi-static）または動的になることができる。半静的なペアリングのために、基地局５０２は、ＳＩＢのシステム情報をブロードキャストすることによってペアリングのアクセス端末５０４、１２０すべてに通知することができる。代案として、基地局５０２は、ＲＲＣ接続セットアップメッセージのＲＲＣシグナリングを通じて専用シグナリングでペアリングのアクセス端末５０４および１２０各々に通知することができる。動的なペアリングのために、基地局１１０は、許可メッセージの含まれたＭＡＣシグナリングを通じてペアリングのアクセス端末１２０に通知することができる。
【００４６】
制御情報が送られるキャリアは、さらに指定されたアンカーキャリアがあるかどうかに依存しうる。アンカーキャリアがシステムに存在する場合、たとえキャリアがペアリングの外部にある場合でも、制御情報は、対応するキャリアのうちの１つまたは複数のためにアンカーキャリア上で送られうる。例えば、ＤＬ Ｃ１ ５１０がダウンリンクキャリア５１０、５１２および５１４のためのアンカーキャリアとして指定される場合、ＵＬ Ｃ１ ５０６は、アップリンクキャリア５０６、５０８のためのアンカーキャリアとして指定され、次に、ＵＬ Ｃ１ ５０６は、ダウンリンクキャリア５１０，５１２，５１４のための制御情報を受信し、ＤＬ Ｃ１ ５１０は、アップリンクキャリア５０６、５０８のための制御情報を受信するだろう。
【００４７】
１つまたは複数のアンカーキャリアは、アップリンクキャリアおよびダウンリンクキャリアの各々のために定義されることができる。基地局５０２は、ＳＩＢにおいて、またはＲＲＣシグナリングのような専用のシグナリングを通じてアンカーキャリアのアクセス端末５０４、１２０に通知しうる。基地局５０２は、ＳＩＢの任意のアンカーキャリアおよびアップリンク／ダウンリンクペアリングのアクセス端末５０４、１２０に通知する。ＳＩＢは、キャリアロケーション（つまりキャリア中心周波数）、キャリア帯域幅、キャリア指示（アップリンク／ダウンリンク）、キャリアペアリングおよびアンカーキャリア情報、と同様にＴＰＣ命令を搬送するアップリンク許可／ダウンリンク許可を期待する特定のキャリアおよびリソースを含みうる。１つの構成において、制御情報のうちのいくつかは、アンカーキャリアを通じて送られ、他の制御情報は、ペアのキャリアを通じて送られうる。例えば、基地局１１０は、ペアのダウンリンクキャリアまたは指定されたダウンリンクアンカーキャリア上でアップリンクＴＰＣコマンドが送られるかどうかブロードキャストまたはＲＲＣシグナリングを通じたフラグにより表示することができる。
【００４８】
基地局５０２は、さらにアクセス端末５０４によって提供される電力ヘッドルームレポートを分析しうる。電力ヘッドルームレポートは、アクセス端末５０４に利用可能な最大送信電力と、キャリア（またはすべてのキャリアの合計）に対して利用される送信電力との間の差を示す。このように、基地局５０２は、アクセス端末５０４の電力制限を評価しうる。基地局５０２は、さらに電力制御命令の生成を容易にする、および／またはスケジューリング決定を容易にしうる。例えば、基地局５０２は、アクセス端末５０４がキャリアをサポートすることができない場合、アクセス端末５０４が複数のキャリア上でスケジューリングされるべきでない状況を識別しうる。
【００４９】
別の態様において、基地局５０２は、オーバーロードインジケータを用いることができる。キャリアが一様にロードされずかつ共有されない場合、キャリア当たりのオーバーロードインジケータは、よりよい制御を提供する。例えば、非対称のキャリア構成の場合には、システム５００で説明されるように、１つまたは複数のダウンリンクキャリアは、キャリア非対称のタイプに依存していようとなかろうとオーバーロードインジケータを搬送しうる。アップリンクキャリアの数がダウンリンクキャリアの数より多い場合、１つのダウンリンクキャリアだけがアップリンク／ダウンリンクキャリアペアリングに基づいて対応するアップリンクキャリアのためにオーバーロードインジケータを搬送する。他方では、アップリンクキャリアの数がダウンリンクキャリアの数より少ない場合、複数のダウンリンクキャリアは、アップリンク／ダウンリンクペアリングに基づいて対応するアップリンクのためにオーバーロードインジケータを搬送する。オーバーロードインジケータは、さらにアップリンク／ダウンリンクキャリアペアリングに関わらずアンカーキャリア上で送信されうる。
【００５０】
別の態様において、アクセス端末５０４は、各アップリンクキャリアのためのアップリンク送信電力の構成を容易にしうる。１つ例において、アクセス端末５０４は、複数のキャリアに対する電力を配分しうる。例えば、必要な電力がキャリアの重要性に従って提供されるように、アクセス端末５０４は、キャリアに優先順位を付けうる。１つの例において、アンカーキャリアは、他のキャリアより高い優先順位を有するので、最初に必要電力を受信しうる。別の例において、最優先のデータを搬送するアップリンクキャリアは、他のキャリアより高い優先順位を有するので、最初に必要電力を受信しうる。代案として、キャリア優先順位を示す優先順位のリストは、基地局５０２によってアクセス端末５０４へ伝達されうる。アクセス端末５０４は、さらにキャリアにわたって電力を一様にスケールしうる。さらに、基地局および／またはアクセス端末５０４は、任意の所与のキャリア上で、ＰＵＳＣＨ所要電力の前にＰＵＣＣＨ所要電力を満たすように構成されうる。しかしながら、制御情報または上位レイヤシグナリングが高い優先順位キャリアのＰＵＳＣＨ上で送信される場合、基地局および／またはアクセス端末５０４は、より低い優先順位を持ったキャリアのＰＵＣＣＨ所要電力の前に高い優先順位キャリア上の当該ＰＵＳＣＨ所要電力に適合することになる。
【００５１】
図７は、マルチキャリア通信システムにおけるアップリンク電力制御を容易にするアクセス端末の例示である。アクセス端末７００は、図１の示されるアクセス端末１２０のうちの１つに対応しうる。図７に示すように、アクセス端末７００は、例えば（図示しない）１または複数の受信アンテナからの複数の信号を受信し、これら受信した信号に対して一般的な動作（例えば、フィルタ、増幅、ダウンコンバート等）を実行し、これら調整された信号をデジタル化して、サンプルを取得する。本明細書に記載されるように、受信機７０２は、チャネル推定のために、各信号から受信したシンボルの復調と、これらシンボルのプロセッサ７０６への提供とを行う複数の復調器７０４を備えうる。プロセッサ７０６は、受信機７０２によって受信された情報を分析すること、および／または、送信機７１６による送信のための情報を生成することに特化されたプロセッサ、アクセス端末７００の１または複数のコンポーネントを制御するプロセッサ、および／または、受信機７０２によって受信された情報を分析することと、送信機７１６による送信のための情報を生成することと、アクセス端末７００のうちの１または複数のコンポーネントを制御することとのすべて行うプロセッサでありうる。
【００５２】
アクセス端末７００はさらに、プロセッサ７０６に動作可能に接続されたメモリ７０８を備えうる。このメモリ７０８は、送信されるデータ（例えば、高い優先順位のデータ）、受信されたデータ、利用可能なチャネルに関連する情報、分析された信号および／または干渉の強度に関連付けられたデータ、割り当てられたチャネル、電力、レート等に関連する情報、および、チャネルの推定およびチャネルを介した通信のためのその他任意の適切な情報を格納しうる。メモリ７０８はさらに、（例えば、性能ベース、容量ベース等での）チャネルの推定および／または利用に関連付けられたアルゴリズムおよび／またはプロトコルを格納しうる。
【００５３】
本明細書に記載されたデータストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュメモリを含みうる。揮発性メモリは、外部キャッシュメモリとして動作するランダムアクセスメモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ（登録商標））のような多くの形態で利用可能である。主題となるシステムおよび方法のメモリ７０８は、限定される訳ではないが、これらおよびその他任意の適切なタイプのメモリを備えることが意図される。
【００５４】
受信機７０２は、コントローラ７１０と動作可能に接続される。コントローラ７１０は、複数のキャリアのための電力制御命令を復号することによって複数のアップリンクキャリアのためのアップリンク電力を制御し、電力制御命令に基づいて複数のキャリア間の電力を配分することができる。図１に関連して議論されるように、コントローラは、さらに電力制御命令についてメモリへの獲得および格納を制御し、プロセッサ７０６を介して送信機７１４と接続することによって基地局と直接通信することができる。アクセス端末７００はさらに、信号を変調し、送信機７１４によって、例えば基地局、ウェブ／インターネット・アクセス・ポイント名（ＡＰＮ）、および他のアクセス端末等へ送信する変調機７１２を備える。プロセッサ７０６と別に示されているが、コントローラ７１０、復調器７０４、および／または、変調器７１２は、プロセッサ７０６または複数のプロセッサ（図示せず）のうちの一部でありうることが認識されるべきである。さらに、コントローラ７１０の機能は、オペレーションシステム（ＯＳ）レベルにおいて、インターネットブラウザアプリケーションにおいて、または、特定用途向け集積回路（ＡＳＩＣ）において、アプリケーションレイヤ、データスタック、ＨＴＴＰスタックに統合されうる。
【００５５】
図８は、非対称のマルチキャリア通信システムにおけるフィードバックを制御するシステム８００の例示である。システム８００は、複数の受信アンテナ８０６を介して１つまたは複数のアクセス端末８０４から信号（単数または複数）を受信する受信機８１０と、送信アンテナ８０８を介して１つまたは複数のアクセス端末８０４へ信号を送信する送信機８２４と、を備えた基地局８０２（例えば、アクセスポイント、フェムトセル等）を備える。受信機８１０は、受信アンテナ８０６から情報を受信する。さらに、受信した情報を復調する復調器８１２と動作可能に関連付けられている。復調されたシンボルは、図１に関して上述した基地局８０８のためのいくつかまたはすべての機能を実行しうるプロセッサ８１４によって分析される。プロセッサ８１４は、信号（例えば、パイロット）強度および／または干渉強度を推定することに関連する情報、モバイルデバイス（単数または複数）８０４（または、（図示しない）他の基地局）との間で送受信されるデータ、および／または、本明細書に記載されたさまざまな動作および機能を実行することに関連するその他任意の適切な情報、を格納するメモリ８１６に接続されている。プロセッサ８１４は、複数キャリアのために要求される電力を決定すること、および決定に基づいて複数のキャリアのための電力制御命令を生成することによって複数のアップリンクキャリア上のアップリンク電力を制御することができるコントローラにさらに接続されている。プロセッサ８１４と別に示されているが、コントローラ８１８、復調器８１２、および／または、変調器８２０は、プロセッサ８１４または複数のプロセッサ（図示せず）のうちの一部でありうることが認識されるべきである。
【００５６】
図９は、マルチキャリア通信システムにおけるアップリンク電力制御のためのプロセスの例を説明するフローチャートである。この処理は、システム１００のアクセス端末１２０内で実施されうる。図９に示されるように、ブロック９０２において、電力制御命令は、複数のキャリアの少なくとも１つに対して復号され、プロセスは、ブロック９０４に進みうる。例えば、アクセス端末１２０は、単一のダウンリンクキャリア上の基地局１１０から電力制御命令を受信し、電力制御命令を復号しうる。
【００５７】
ブロック９０４において、複数キャリアの少なくとも１つの間の電力は、電力制御命令に基づいて配分され、プロセスは終了しうる。例えば、アクセス端末１２０は、基地局１１０から受信された電力制御命令に従う複数キャリアの間の電力を配分するおよび／または調整する。
【００５８】
図１０は、マルチキャリア通信システムにおけるアップリンク電力制御のためのプロセスの例を説明するフローチャートである。このプロセスは、システム１００の基地局１１０において実施されうる。図１０に示されるように、ブロック１００２において、複数のキャリアのうちの少なくとも１つのために要求された電力は、決定され、プロセスはブロック１００４に進みうる。例えば、基地局１１０は、アクセス端末１２０から電力ヘッドルームレポートを受信し、その電力ヘッドルームレポートに基づいて複数アップリンクキャリアのために要求された電力を決定する。
【００５９】
ブロック１００４において、複数キャリアのうちの少なくとも１つのための複数の電力制御命令のうちの少なくとも１つは、その決定に基づいて生成され、プロセスは終了しうる。例えば、基地局１１０は、アクセス端末１２０の所要電力に基づいてアクセス端末１２０に対する複数のアップリンクキャリアのための電力制御命令を生成し、送信しうる。
【００６０】
図１１は、マルチキャリア通信システムにおけるアップリンク電力制御を容易にする１つの例示のシステム１１００の説明である。例えば、システム１１００は、アクセス端末等の中に少なくとも部分的に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる手段からなる論理グループ１１０２を含む。例えば、論理的なグルーピング１１０２は、複数のキャリアの少なくとも１つのために電力制御命令を復号するための手段１１０４と、電力制御命令に基づいて複数キャリアのうちの少なくとも１つの間の電力を配分するための手段１１０６と、を含むことができる。さらに、システム１１００は、手段１１０４乃至手段１１０６に関連付けられた機能を実行するための命令群を保持するメモリ１１０８を含みうる。メモリ１１０８の外側にあると示されているが、手段１１０４乃至手段１１０６のうちの１または複数が、メモリ１１０８の内部に存在しうることが理解されるべきである。
【００６１】
図１２は、マルチキャリア通信システムにおけるアップリンク電力制御を容易にする例示のシステム１２００の説明である。例えば、システム１２００は、基地局等内に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる手段からなる論理グループ１２０２を含む。例えば、論理的なグルーピング１２０２は、複数のキャリアのうちの少なくとも１つのために要求され電力を決定するための手段１２０４と、その決定に基づいて複数キャリアのうちの少なくとも１つのために複数の電力制御命令のうちの少なくとも１つを生成するための手段１２０６と、を含むことができる。さらに、システム１２００は、手段１２０４乃至手段１２０６に関連付けられた機能を実行するための命令群を保持するメモリ１２０８を含みうる。メモリ１２０８の外側にあるとして示されているが、手段１２０４乃至手段１２０６のうちの１または複数は、メモリ１２０８の内部に存在しうることが理解されるべきである。
【００６２】
様々な実例となる論理、論理ブロック、モジュール、および本明細書に開示された実施形態に関連して説明された回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、離散ゲートまたはトランジスタ論理、離散ハードウェアコンポーネントまたは本明細書に説明された機能を実行するように設計されたこれらの任意の組み合わせ、により実施されるまたは実行されうる。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティングデバイスの組み合わせとして実現されうる。それに加えて、少なくとも１つのプロセッサは、上述したステップおよび／または動作のうちの１または複数を実行するように動作可能な１つまたは複数のモジュールを備えうる。
【００６３】
さらに、本明細書に開示された態様に関連して説明された方法またはアルゴリズムのステップおよび／または動作は、ハードウェア、プロセッサによって実行されるソフトウェアモジュール、またはこれら２つの組み合わせで直接具体化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械可読媒体および／またはコンピュータ可読媒体上の１または任意の組み合わせ、または、コードおよび／または命令群のセットとして存在する。これらは、コンピュータプログラム製品に組み込まれうる。
【００６４】
１つまたは複数の態様において、説明された機能は、ハードウェア、ソフトウェア、ファームウェアまたはそれらの任意の組み合わせで実現されうる。ソフトウェアで実現される場合、これら機能はコンピュータ可読媒体に格納されうるか、あるいは、コンピュータ可読媒体上の１または複数の命令群またはコードとして送信されうる。コンピュータ可読媒体は、コンピュータ記憶媒体と通信媒体との両方を含む。これらは、コンピュータプログラムのある場所から別の場所への転送を容易にする任意の媒体を含む。記憶媒体は、コンピュータによってアクセスされる利用可能な任意の媒体でありうる。例として、限定することなく、このようなコンピュータ可読媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ可読媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ可読媒体の範囲内に含まれるべきである。
【００６５】
先の開示は実例となる態様および／または実施形態について議論しているが、添付された特許請求によって定義されるように説明される態様および／または実施形態の範囲から外れずに、様々な変更および修正を本明細書に行なうことができることに注意されるべきである。さらに、説明された態様および／または実施形態のコンポーネントは、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［Ｃ１］
ワイヤレス通信のための方法であって、
複数のキャリアのうちの少なくとも１つのために要求された電力を決定することと、
前記決定に基づいて前記複数キャリアのうちの少なくとも１つのために複数の電力制御命令のうちの少なくとも１つを生成することと、
を備える方法。
［Ｃ２］
前記複数の電力制御命令のうちの１つまたは複数各々は、それぞれ前記複数のキャリアのうちの１つまたは複数各々のためのものである、
［Ｃ１］に記載の方法。
［Ｃ３］
前記複数の電力制御命令のうちの１つは、前記複数のキャリアのためのものである、［Ｃ１］に記載の方法。
［Ｃ４］
前記複数の電力制御命令は、１つのキャリア上で送信のために生成される、
［Ｃ１］に記載の方法。
［Ｃ５］
前記１つのキャリアは、ダウンリンクキャリアである、
［Ｃ４］に記載の方法。
［Ｃ６］
アップリンクキャリアのオーバーロードを示すオーバーロードインジケータを生成することと、前記アップリンクキャリアとペアになるダウンリンクキャリア上で前記オーバーロードインジケータを送信することと、
をさらに備える、［Ｃ１］に記載の方法。
［Ｃ７］
アップリンクキャリアのオーバーロードを示すオーバーロードインジケータを生成することと、キャリアペアリングに関係なくダウンリンクアンカーキャリア上で前記オーバーロードインジケータを送信することと、をさらに備える、
［Ｃ１］に記載の方法。
［Ｃ８］
前記複数のキャリアのうちの１つまたは複数各々のキャリア優先順位に基づいて前記複数のキャリアの間の電力配分に優先順位を付けることをさらに備える、
［Ｃ１］に記載の方法。
［Ｃ９］
ダウンリンクアンカーキャリアは、前記複数のキャリアの前記他のキャリアより高いキャリア優先順位を有する、
［Ｃ８］に記載の方法。
［Ｃ１０］
前記複数のキャリアのうちの１つまたは複数各々の前記キャリア優先順位は、前記複数のキャリアのうちの１つまたは複数各々上で送信されるデータの前記優先順位に対応する、
［Ｃ８］に記載の方法。
［Ｃ１１］
前記複数のキャリアのうちの１つまたは複数各々のチャネル優先順位に基づいて前記複数のキャリアの間の電力配分に優先順位を付けることをさらに備える、
［Ｃ１］に記載の方法。
［Ｃ１２］
前記複数のキャリアの１つまたは複数各々の前記チャネル優先順位は、制御データが前記複数のキャリアのうちのそれぞれ１つのチャネルにわたって送信されるかどうかに基づいて決定される、
［Ｃ１１］に記載の方法。
［Ｃ１３］
前記複数のキャリアそれぞれに対応する複数のアクセス端末の電力制限に基づいて前記複数のキャリアのための電力の配分を決定することをさらに備える、
［Ｃ１］に記載の方法。
［Ｃ１４］
アクセス端末からのレポートに基づいて前記複数のキャリアのための電力配分スケジュールを決定することをさらに備える、
［Ｃ１］に記載の方法。
［Ｃ１５］
前記レポートは、前記アクセス端末のための電力ヘッドルームレポートである、
［Ｃ１４］に記載の方法。
［Ｃ１６］
前記複数の電力制御命令を生成するときに前記複数のキャリアのうちの１つまたは複数の各々のために物理アップリンク共有チャネルの測定値および送信電力の複数のパラメータのうちの少なくとも１つを決定することをさらに備える、
［Ｃ１］に記載の方法。
［Ｃ１７］
前記複数の電力制御命令を生成するときに前記複数のキャリアのうちの１つまたは複数各々のための物理アップリンク制御チャネルの測定値および送信電力の複数のパラメータの少なくとも１つを決定することをさらに備える、
［Ｃ１］に記載の方法。
［Ｃ１８］
複数のキャリアのうちの少なくとも１つのために要求された電力を決定するための手段と、
前記決定に基づいて前記複数キャリアのうちの少なくとも１つのために複数の電力制御命令のうちの少なくとも１つを生成するための手段と、
を備える装置。
［Ｃ１９］
前記複数の電力制御命令のうちの１つまたは複数各々は、それぞれ前記複数のキャリアのうちの１つまたは複数各々のためのものである、
［Ｃ１８］に記載の装置。
［Ｃ２０］
前記複数の電力制御命令のうちの１つは、前記複数のキャリアのためのものである、
［Ｃ１８］に記載の装置。
［Ｃ２１］
前記複数の電力制御命令は、１つのキャリア上で送信のために生成される、
［Ｃ１８］に記載の装置。
［Ｃ２２］
前記１つのキャリアは、ダウンリンクキャリアである、
［Ｃ２１］に記載の装置。
［Ｃ２３］
アップリンクキャリアのオーバーロードを示すオーバーロードインジケータを生成するための手段と、前記アップリンクキャリアとペアになるダウンリンクキャリア上で前記オーバーロードインジケータを送信するための手段と、
をさらに備える、［Ｃ１８］に記載の装置。
［Ｃ２４］
アップリンクキャリアのオーバーロードを示すオーバーロードインジケータを生成するための手段と、キャリアペアリングに関係なくダウンリンクアンカーキャリア上で前記オーバーロードインジケータを送信するための手段と、
をさらに備える、［Ｃ１８］に記載の装置。
［Ｃ２５］
前記複数のキャリアのうちの１つまたは複数各々のキャリア優先順位に基づいて前記複数のキャリアの間の電力配分に優先順位を付けるための手段をさらに備える、
［Ｃ１８］に記載の装置。
［Ｃ２６］
ダウンリンクアンカーキャリアは、前記複数のキャリアの前記他のキャリアより高いキャリア優先順位を有する、
［Ｃ２５］に記載の装置。
［Ｃ２７］
前記複数のキャリアのうちの１つまたは複数各々の前記キャリア優先順位は、前記複数のキャリアのうちの１つまたは複数各々上で送信されるデータの前記優先順位に対応する、
［Ｃ２６］に記載の装置。
［Ｃ２８］
前記複数のキャリアのうちの１つまたは複数各々のチャネル優先順位に基づいて前記複数のキャリアの間の電力配分に優先順位を付けるための手段をさらに備える、
［Ｃ１８］に記載の装置。
［Ｃ２９］
前記複数のキャリアの１つまたは複数各々の前記チャネル優先順位は、制御データが前記複数のキャリアのうちのそれぞれ１つのチャネルにわたって送信されるかどうかに基づいて決定される、
［Ｃ２８］に記載の装置。
［Ｃ３０］
前記複数のキャリアそれぞれに対応する複数のアクセス端末の電力制限に基づいて前記複数のキャリアのための電力の配分を決定するための手段をさらに備える、
［Ｃ１８］に記載の方法。
［Ｃ３１］
アクセス端末からのレポートに基づいて前記複数のキャリアのための電力配分スケジュールを決定することをさらに備える、
［Ｃ１８］に記載の装置。
［Ｃ３２］
前記レポートは、前記アクセス端末のための電力ヘッドルームレポートである、
［Ｃ３１］に記載の装置。
［Ｃ３３］
前記複数の電力制御命令を生成するときに前記複数のキャリアのうちの１つまたは複数の各々のために物理アップリンク共有チャネルの測定値および送信電力の複数のパラメータのうちの少なくとも１つを決定することをさらに備える、
［Ｃ１８］に記載の装置。
［Ｃ３４］
前記複数の電力制御命令を生成するときに前記複数のキャリアのうちの１つまたは複数各々のための物理アップリンク制御チャネルの測定値および送信電力の複数のパラメータの少なくとも１つを決定することをさらに備える、
［Ｃ１８］に記載の装置。
［Ｃ３５］
コンピュータ可読媒体を備えるコンピュータプログラム製品であって、
前記コンピュータ可読媒体は、
複数のキャリアのうちの少なくとも１つのために要求された電力を決定するためのコードと、
前記決定に基づいて前記複数キャリアのうちの少なくとも１つのために複数の電力制御命令のうちの少なくとも１つを生成するためのコードと、
を備えるコンピュータプログラム製品。
［Ｃ３６］
前記複数の電力制御命令を生成するときに前記複数のキャリアのうちの１つまたは複数の各々のために物理アップリンク共有チャネルの測定値および送信電力の複数のパラメータのうちの少なくとも１つを決定するためのコードをさらに備える、
［Ｃ３５］に記載のコンピュータプログラム製品。
［Ｃ３７］
複数のキャリアのうちの少なくとも１つのために要求された電力を決定し、
前記決定に基づいて前記複数キャリアのうちの少なくとも１つのために複数の電力制御命令のうちの少なくとも１つを生成する、
ように構成されたコントローラを備える、
ワイヤレス通信装置。
［Ｃ３８］
複数のキャリアのうちの少なくとも１つのための電力制御命令を復号し、
前記電力制御命令に基づいて前記複数のキャリアのうちの前記少なくとも１つの間の電力を配分する、
ように構成されたコントローラを備える、
ワイヤレス通信装置。
［Ｃ３９］
前記複数の電力制御命令のうちの１つまたは複数各々は、それぞれ前記複数のキャリアのうちの１つまたは複数各々のためのものである、
［Ｃ３８］に記載の装置。
［Ｃ４０］
前記複数の電力制御命令のうちの１つは、前記複数のキャリアのためのものである、
［Ｃ３８］に記載の装置。
［Ｃ４１］
前記複数の電力制御命令は、１つのキャリア上で送信のために生成される、
［Ｃ３８］に記載の装置。
［Ｃ４２］
前記１つのキャリアは、ダウンリンクキャリアである、
［Ｃ４１］に記載の方法。
［Ｃ４３］
前記コントローラは、前記アップリンクキャリアとペアになるダウンリンクキャリア上で、アップリンクキャリアのオーバーロードを示す、オーバーロードインジケータを受信し、前記オーバーロードインジケータを復号し、前記復号されたオーバーロードインジケータに従って送信電力を低減するようにさらに構成される、
［Ｃ３８］に記載の装置。
［Ｃ４４］
前記コントローラは、キャリアペアリングに関係なくダウンリンクアンカーキャリア上で、アップリンクキャリアのオーバーロードを示す、オーバーロードインジケータを受信し、前記オーバーロードインジケータを復号し、前記復号されたオーバーロードインジケータに従って送信電力を低減するようにさらに構成される、
［Ｃ３８］に記載の装置。
［Ｃ４５］
前記コントローラは、前記複数のキャリアのうちの１つまたは複数各々のキャリア優先順位に基づいて前記複数のキャリアの間の電力配分に優先順位を付けるようにさらに構成される、
［Ｃ３８］に記載の装置。
［Ｃ４６］
ダウンリンクアンカーキャリアは、前記複数のキャリアの前記他のキャリアより高いキャリア優先順位を有する、
［Ｃ４５］に記載の装置。
［Ｃ４７］
前記複数のキャリアのうちの１つまたは複数各々の前記キャリア優先順位は、前記複数のキャリアのうちの１つまたは複数各々上で送信されるデータの前記優先順位に対応する、
［Ｃ４５］に記載の装置。
［Ｃ４８］
前記コントローラは、前記複数のキャリアのうちの１つまたは複数各々のチャネル優先順位に基づいて前記複数のキャリアの間の電力配分に優先順位を付けるようにさらに構成される、
［Ｃ３８］に記載の装置。
［Ｃ４９］
前記複数のキャリアの１つまたは複数各々の前記チャネル優先順位は、制御データが前記複数のキャリアのうちのそれぞれ１つのチャネルにわたって送信されるかどうかに基づいて決定される、
［Ｃ４８］に記載の装置。
［Ｃ５０］
前記コントローラは、自発的に前記複数のキャリアの間の電力配分に優先順位を付けるようにさらに構成される、
［Ｃ４５］に記載の装置。
［Ｃ５１］
前記コントローラは、基地局から受信した情報に基づいて前記複数のキャリアの間の電力配分に優先順位をつけるようにさらに構成される、
［Ｃ４５］に記載の装置。
［Ｃ５２］
ワイヤレス通信のための方法であって、
複数のキャリアのうちの少なくとも１つのための電力制御コマンドを復号することと、
前記電力制御コマンドに基づいて前記複数のキャリアのうちの前記少なくとも１つの間の電力を配分することと、
を備える方法。
［Ｃ５３］
前記複数の電力制御命令のうちの１つまたは複数各々は、それぞれ前記複数のキャリアのうちの１つまたは複数各々のためのものである、
［Ｃ５２］に記載の方法。
［Ｃ５４］
前記複数の電力制御命令のうちの１つは、前記複数のキャリアのためのものである、
［Ｃ５２］に記載の方法。
［Ｃ５５］
前記複数の電力制御命令は、１つのキャリア上で送信のために生成される、
［Ｃ５２］に記載の方法。
［Ｃ５６］
前記１つのキャリアは、ダウンリンクキャリアである、
［Ｃ５５］に記載の方法。
［Ｃ５７］
前記アップリンクキャリアとペアになるダウンリンクキャリア上でアップリンクキャリアのオーバーロードを示す、オーバーロードインジケータを受信することと、前記オーバーロードインジケータを復号することと、前記復号されたオーバーロードインジケータに従って送信電力を低減することとをさらに備える、
［Ｃ５２］に記載の方法。
［Ｃ５８］
キャリアペアリングに関係なくダウンリンクアンカーキャリア上でアップリンクキャリアのオーバーロードを示す、オーバーロードインジケータを受信することと、前記オーバーロードインジケータを復号することと、前記復号されたオーバーロードインジケータに従って送信電力を低減することとをさらに備える、
［Ｃ５２］に記載の方法。
［Ｃ５９］
前記複数のキャリアのうちの１つまたは複数各々のキャリア優先順位に基づいて前記複数のキャリアの間の電力配分に優先順位を付けることをさらに備える、
［Ｃ５２］に記載の方法。
［Ｃ６０］
ダウンリンクアンカーキャリアは、前記複数のキャリアの前記他のキャリアより高いキャリア優先順位を有する、
［Ｃ５９］に記載の方法。
［Ｃ６１］
前記複数のキャリアのうちの１つまたは複数各々の前記キャリア優先順位は、前記複数のキャリアのうちの１つまたは複数各々上で送信されるデータの前記優先順位に対応する、
［Ｃ５９］に記載の方法。
［Ｃ６２］
前記複数のキャリアのうちの１つまたは複数各々のチャネル優先順位に基づいて前記複数のキャリアの間の電力配分に優先順位を付けることをさらに備える、
［Ｃ５２］に記載の方法。
［Ｃ６３］
自発的に前記複数のキャリアの間の電力配分に優先順位を付けることをさらに備える、
［Ｃ５９］に記載の方法。
［Ｃ６４］
基地局から受信した情報に基づいて前記複数のキャリアの間の電力配分に優先順位を付けることをさらに備える、
［Ｃ５９］に記載の方法。
［Ｃ６５］
複数のキャリアのうちの少なくとも１つのための電力制御コマンドを復号すための手段と、
前記電力制御コマンドに基づいて前記複数のキャリアのうちの前記少なくとも１つの間の電力を配分するための手段と、
を備える装置。
［Ｃ６６］
前記複数の電力制御命令のうちの１つまたは複数各々は、それぞれ前記複数のキャリアのうちの１つまたは複数各々のためのものである、
［Ｃ６５］に記載の装置。
［Ｃ６７］
前記複数の電力制御命令のうちの１つは、前記複数のキャリアのためのものである、
［Ｃ６５］に記載の装置。
［Ｃ６８］
前記複数の電力制御命令は、１つのキャリア上で送信のために生成される、
［Ｃ６５］に記載の装置。
［Ｃ６９］
前記１つのキャリアは、ダウンリンクキャリアである、
［Ｃ６８］に記載の装置。
［Ｃ７０］
前記アップリンクキャリアとペアになるダウンリンクキャリア上でアップリンクキャリアのオーバーロードを示す、オーバーロードインジケータを受信するための手段と、前記オーバーロードインジケータを復号するための手段と、前記復号されたオーバーロードインジケータに従って送信電力を低減するための手段と、
をさらに備える、［Ｃ６５］に記載の装置。
［Ｃ７１］
キャリアペアリングに関係なくダウンリンクアンカーキャリア上でアップリンクキャリアのオーバーロードを示す、オーバーロードインジケータを受信するための手段と、前記オーバーロードインジケータを復号するための手段と、前記復号されたオーバーロードインジケータに従って送信電力を低減するための手段と、
をさらに備える、［Ｃ６５］に記載の装置。
［Ｃ７２］
前記複数のキャリアのうちの１つまたは複数各々のキャリア優先順位に基づいて前記複数のキャリアの間の電力配分に優先順位を付けることをさらに備える、
［Ｃ６５］に記載の装置。
［Ｃ７３］
ダウンリンクアンカーキャリアは、前記複数のキャリアの前記他のキャリアより高いキャリア優先順位を有する、
［Ｃ７２］に記載の装置。
［Ｃ７４］
前記複数のキャリアのうちの１つまたは複数各々の前記キャリア優先順位は、前記複数のキャリアのうちの１つまたは複数各々上で送信されるデータの前記優先順位に対応する、
［Ｃ７２］に記載の装置。
［Ｃ７５］
前記複数のキャリアのうちの１つまたは複数各々のチャネル優先順位に基づいて前記複数のキャリアの間の電力配分に優先順位を付けることをさらに備える、
［Ｃ６５］に記載の装置。
［Ｃ７６］
自発的に前記複数のキャリアの間の電力配分に優先順位を付けることをさらに備える、
［Ｃ７５］に記載の装置。
［Ｃ７７］
コンピュータ可読媒体を備えるコンピュータプログラム製品であって、
前記コンピュータ可読媒体は、
複数のキャリアのうちの少なくとも１つのための電力制御コマンドを復号するためのコードと、
前記電力制御コマンドに基づいて前記複数のキャリアのうちの前記少なくとも１つの間の電力を配分するためのコードと、
を備えるコンピュータプログラム製品。
【図１】
0005345731.tif 000004
【図２】
0005345731.tif 000005
【図３】
0005345731.tif 000006
【図４】
0005345731.tif 000007
【図５】
0005345731.tif 000008
【図６】
0005345731.tif 000009
【図７】
0005345731.tif 000010
【図８】
0005345731.tif 000011
【図９】
0005345731.tif 000012
【図１０】
0005345731.tif 000013
【図１１】
0005345731.tif 000014
【図１２】
0005345731.tif 000015